(57)【特許請求の範囲】
【請求項１】
回転台に、その外周縁よりはみ出る外周の軟質弾性板を載置し、前記軟質弾性板の前記はみ出た外周部に対応し、かつ、前記軟質弾性板の周縁の研削希望形状に対応した突部を下方向に設けた押さえ板で前記軟質弾性板を押圧し、前記突部により押した部分を下方へ曲げ、前記回転台および押さえ板を回転させながら、前記軟質弾性板の曲げ部分の下方周縁を、直線的または凹曲線的に下方向に末広がりの回転刃で研削することを特徴とする軟質弾性板の周縁の一部を研削して整形する方法。
【請求項２】
軟質弾性板を載置する回転台と，
前記回転台の径よりも大きい径で、前記回転台の上方で、該回転台に対向させた状態において、前記回転台の外周よりはみ出た周縁部の下面の１または複数の箇所に、下向きの突部を設け、前記回転台に、外周縁部を外方向にはみ出させて載置した軟質弾性板を挟み、かつ、前記軟質弾性板のはみ出た外周縁部を前記突部で下方向に押す押さえ板と，
直線的または凹曲線的に下方向に末広がりに傾斜した刃を有し、回転しながら、前記押さえ板の突部により下方へ押された軟質弾性板の外周縁部の下面外周縁に当接して研削することを可能とする回転刃部と，
を備えた軟質弾性板の周縁整形装置。
【発明の詳細な説明】
【０００１】
【発明の属する技術分野】
この発明は、ゴム、合成樹脂等の軟質弾性板特に履物の底板の周縁の一部を研削して部分的に平面または曲面の傾斜面を形成する周縁整形方法およびそのための装置に関するものである。
【０００２】
【従来の技術】
履物の底板周側面が底板に対して直角であると、前方部においては石やわずかな段差でつまずき易く、踵部では雨水等をはね上げて脚や衣服を汚し易い。
そこで、刃物で１個づつ手作業で底板の前方部特に足の親指先附近や踵部の周縁の下方角部を削り取り、そこに傾斜面を形成している。
【０００３】
【発明が解決しようとする課題】
従来は上記周縁整形を手作業で行っているので、左右の底板の周縁を対称的に研削することが難しく、左右同じ側の底板でも複数のものを同じように研削して同じ形にするのは熟練者であっても非常に難しい。
【０００４】
従来、底板の全周にわたって周縁角を削り取る装置としては図３に示すものがある。
その装置は、底板１を載置する回転台部２と、その底板１を押さえる押さえ部３と、回転刃部４とを主要部とするものである。
【０００５】
回転台部２は、回転軸５により支えられた、ならいゲージ板６の上面に、ならいゲージ板６の径より大きい径の回転板７と更にその上に回転板７の径より小さい径の回転台８を固定している。
【０００６】
押さえ部３は、回転軸９に下向きに押さえ板１０を固定している。
押さえ板１０は、回転台８の径よりも大きい径で、回転台８に載置する研削希望の軟質弾性板の形状に対応した形状としている。
【０００７】
回転刃部４は、下末広がりにカーブした側縁が刃１１ａを形成する回転刃物１１と、その回転軸１２に、回転刃物１１の下方に、回転台部２の回転板７の厚みより僅かに広い幅の間隔を置いて、回転台部２のならいゲージ板６に当接してならいゲージ板６が回転刃部４の移行を阻止するための当たり板１３を設けている。
１４は回転刃物１１を回転軸に固定するためのナットである。
【０００８】
この装置は、回転台８上に、回転台８の外周より大きい外周の底板１を載置すると、底板１の外周部の下面と回転板７の外周部上面との間に空隙部１５が形成される。
回転刃部４は回転されながら回転台部方向へ付勢されて、回転刃物１１の下方の突出部１１ｂが底板１の外周部下方の空隙部１５へと入る。
その際回転板７の外周部は回転刃物１１の下面と当たり板１３の上面との間に入り、当たり板１３がならいゲージ板６の外周に当接するまで回転刃物１１が移行し、回転刃物１１のカーブした刃１１ａで底板１の下面外周角を全周にわたって削り取る。
【０００９】
履物の底板では、爪先によるつまづき、踵による泥はねの防止のために、底板の先端縁と踵の後端縁だけを削って傾斜面または曲面とし、他の外周縁は削り取らない方が履物使用時に底板が地面に密着し履き心地がよい。
ところが上記従来の装置では底板の外周縁を部分的に切削できない。底板１個づつ回転刃部４の移行を調整して部分的に切削できたとしても、複数個同じ形状に切削することは至難の業である。右足用と左足用の底板を左右対称に部分的に切削することも大変な熟練を必要とする。
【００１０】
この発明は、熟練を必要とせず、左右対称で、複数の底板の周縁を部分的に研削して、常に同じ形状の傾斜面を形成することのできる、履物の底板およびそれ以外の一般の軟質弾性板の周縁整形方法およびその装置を提供することを目的とする。
【００１１】
【課題を解決するための手段】
回転台に、その外周縁よりはみ出る外周の軟質弾性板を載置し、前記軟質弾性板の前記はみ出た外周部に対応し、かつ、前記軟質弾性板の周縁の研削希望形状に対応した突部を下方向に設けた押さえ板で前記軟質弾性板を押圧し、前記突部により押した部分を下方へ曲げ、回転台および押さえ板を回転させながら、前記軟質弾性板の曲げ部分の下方周縁を、直線的または凹曲線的に下方向に末広がりの回転刃で研削することにより、軟質弾性板の周縁の一部を研削して整形する。
【００１２】
【発明の実施の形態】
この発明に係る装置は、従来の装置の回転台部２および回転刃部４をそのまま用い、押さえ部３を改良したものである。
【００１３】
押さえ部１６は、従来の押さえ部３のうち押さえ板１０の代わりに、押さえ板１７を用いる。
押さえ板１７は、回転台８よりも径が大きく、回転台の上方で回転台８に対向させたときに、その周縁部が回転台８の外周よりも外方へはみ出る形状である。
そして、回転台８の上に履物の底板１を、研削したい部分、例えば先端部や踵部の周縁部、を回転台８の外周よりもはみ出させて載置し、そのはみ出た周縁部を下方へ押すための突部１７ａを、押さえ板１７の、回転台８の外周よりもはみ出た外周部の下面に下向きに、１または複数設ける。
【００１４】
押さえ板１７は、回転台８上に載置した底板１をシリンダー（図示せず）等で回転台２の上面方向へ押圧可能で、かつ、回転台８の回転と連動して回転可能とする。
【００１５】
突部１７ａは、研削後の底板１の周縁の傾斜面に対応して、傾斜またはアールの小さい部分に対応する所は突部１７ａを小さく、傾斜またはアールの大きい部分に対応するところは突部１７ａを大きくする。
【００１６】
押さえ板１７は、履物の底板１の左右対称のものの取替え、更には、所望の研削形状の異なる底板または履物以外にも用いる軟質弾性板のための押さえ板に取替え可能とする。
【００１７】
この装置を用いて次のとおり底板の周縁を研削する。
底板１を、研削したい部分、例えば先端部や踵部の周縁部、を回転台８の外周よりもはみ出させて回転台８に載置する。
所望の研削形状に応じた突部１７ａを有する押さえ板１７を回転軸９に取り付け、底板を押圧する。
押圧された底板１の、回転台８の外周よりはみ出た周縁において、突部１７ａにより押圧された部分の周縁は間隙部１５において下方へ曲がる。
【００１８】
次いで回転台部２および回転刃部４を回転させると、回転刃物１１は回転台部２方向へ付勢されているので、刃１１ａの突出部１１ｂが間隙部１５へ浸入する。その際に刃１１ａが突部１７ａに押されて下方へ曲がった部分の下方周縁角に当たるので、その部分がならいゲージ板６の周縁に当たり板１３の周縁が当たるまで１ａが順次削り取られる。
【００１９】
底板１の周縁は湾曲しているので、回転刃１１ａが常に底板１の周縁の下方へ曲がった部分に当接しながら進退する。
【００２０】
上記の場合に、回転刃１１の刃１１ａを傾斜した直線形状の刃とすれば、底板１の研削した部分は平面の傾斜面を形成し、刃１１ａを傾斜した湾曲形状の刃とすれば、底板１の研削した部分はアールのある曲面傾斜面を形成する。
【００２１】
底板１の全周縁にわたって研削したいときには、押さえ板１７を押さえ板１０に取り替えればよい。
【００２２】
研削が完了すれば、押さえ板１７による底板１の押圧を解放して、底板１を回転台８より外すと、底板１の湾曲していた部分が元に戻って平坦となり、周側から底面へかけて一部が削られており、底板１の底面の周縁部が部分的にアールのあるゆるやかな曲面または平面の傾平面が形成されている。
【００２３】
上記研削において底板１に限らず、履物以外に用いる軟質弾性板の周縁を全周または部分的に研削することができる。
【００２４】
【発明の効果】
この発明に係る方法および装置によれば、熟練を必要とすることなく容易に、履物の底板等弾性板の複数のものの周縁の全周または部分的に同形の平面または曲面の傾斜面を形成することができる。
【図面の簡単な説明】
【図１】周縁研削装置の研削前の説明図である。
【図２】周縁研削装置の研削時の説明図である。
【図３】従来例の周縁研削装置の研削前の説明図である。
【符号の説明】
１  底板
２  回転台部
３  押さえ部
４  回転刃部
５  回転軸
６  ならいゲージ板
７  回転板
８  回転台
９  回転軸
１０  押さえ板
１１  回転刃物
１１ａ  刃
１１ｂ  突出部
１２  回転軸
１３  当たり板
１４  ナット
１５  間隙部
１６  押さえ部
１７  押さえ板
１７ａ  突部
【図１】
0003926863.tif 000002
【図２】
0003926863.tif 000003
【図３】
0003926863.tif 000004